(57)【要約】【課題】マウント交換後の撮像装置の機能に矛盾が生じないようにして、ユーザの混乱を招かないようにする。【解決手段】カメラは、レンズ１４との接続部であるマウント１３の交換が可能である。システム制御部４の制御下で、カメラの電源オン時に、カメラに装着されているマウント１３の種別を判別し、マウント交換を判定する。そして、マウント交換があったと判定したとき、複数の項目を含むメニュー、及びメニューに含まれる項目のうちユーザが選択した項目を登録するマイメニューについて、メニューの項目のうち前記判別したマウントの種別で必要のない項目を非表示にするとともに、前記非表示にした項目がマイメニューに登録されている場合、該項目をマイメニューから登録解除する。【選択図】図１
2020080555.tif 000002
【特許請求の範囲】
【請求項１】
レンズとの接続部であるマウントの交換が可能な撮像装置であって、
該撮像装置に装着されているマウントの種別を判別する判別手段と、
複数の項目を含むメニュー、及びメニューに含まれる項目のうちユーザが選択した項目を登録するマイメニューを管理する管理手段とを備え、
前記管理手段は、メニューの項目のうち前記判別手段で判別したマウントの種別で必要のない項目を非表示又は無効表示にするとともに、マイメニューに登録されている項目の全て又は一部を登録解除する又は無効表示にする更新処理を行うことを特徴とする撮像装置。
【請求項２】
前記管理手段は、前記更新処理において、前記非表示又は無効表示にした項目がマイメニューに登録されている場合、該項目をマイメニューから登録解除する又は無効表示にすることを特徴とする請求項１に記載の撮像装置。
【請求項３】
マウント交換を判定する判定手段を備え、
前記管理手段は、前記判定手段でマウント交換があったと判定したときに、前記更新処理を行うことを特徴とする請求項１又は２に記載の撮像装置。
【請求項４】
前記管理手段は、前記更新処理において、メニューの項目のうち前記判別手段で判別したマウントの種別で必要のない項目を非表示にするとともに、前記非表示にした項目がマイメニューに登録されている場合、該項目をマイメニューから登録解除することを特徴とする請求項１乃至３のいずれか１項に記載の撮像装置。
【請求項５】
前記管理手段は、該撮像装置の電源オン状態で、表示中の項目に無効表示の対象があるか否かを判定し、無効表示の対象となる項目は無効表示にすることを特徴とする請求項４に記載の撮像装置。
【請求項６】
該撮像装置の電源オン時に、前記判別手段がマウントの種別を判別し、前記判定手段がマウント交換を判定して、前記判定手段でマウント交換があったと判定したとき、前記管理手段が前記更新処理を行うことを特徴とする請求項３に記載の撮像装置。
【請求項７】
該撮像装置の電源オン状態で、前記判別手段がマウントの種別を判別し、前記判定手段がマウント交換を判定して、前記判定手段でマウント交換があったと判定したとき、該撮像装置を再起動することを特徴とする請求項６に記載の撮像装置。
【請求項８】
該撮像装置の電源オン状態に、前記判別手段がマウントの種別を判別し、前記判定手段がマウント交換を判定して、前記判定手段でマウント交換があったと判定したとき、前記管理手段が前記更新処理を行うことを特徴とする請求項３に記載の撮像装置。
【請求項９】
前記管理手段による前記更新処理の後、メニューの項目の全て又は一部を初期値に戻す初期化手段を備えたことを特徴とする請求項１乃至８のいずれか１項に記載の撮像装置。
【請求項１０】
前記判別手段で判別したマウントの種別情報を記憶する記憶手段を備え、
前記判定手段は、前記判別手段で判別したマウントの種別情報を前記記憶手段に記憶する前に、前記判別手段で判別したマウントの種別と前記記憶手段に記憶されているマウントの種別情報とを比較することにより、マウント交換を判定することを特徴とする請求項３に記載の撮像装置。
【請求項１１】
前記判別手段で判別したマウントの種別に基づいてレンズとの通信方式を決定する決定手段と、
前記決定手段で決定した通信方式情報を記憶する記憶手段とを備え、
前記判定手段は、前記決定手段で決定した通信方式情報を前記記憶手段に記憶する前に、前記決定手段で決定した通信方式と前記記憶手段に記憶されている通信方式情報とを比較することにより、マウント交換を判定することを特徴とする請求項３に記載の撮像装置。
【請求項１２】
レンズとの接続部であるマウントの交換が可能な撮像装置の制御方法であって、
該撮像装置に装着されているマウントの種別を判別するステップと、
複数の項目を含むメニュー、及びメニューに含まれる項目のうちユーザが選択した項目を登録するマイメニューについて、メニューの項目のうち前記判別したマウントの種別で必要のない項目を非表示又は無効表示にするとともに、マイメニューに登録されている項目の全て又は一部を登録解除する又は無効表示にするステップとを有することを特徴とする撮像装置の制御方法。
【請求項１３】
レンズとの接続部であるマウントの交換が可能な撮像装置を制御するためのプログラムであって、
該撮像装置に装着されているマウントの種別を判別する判別手段と、
複数の項目を含むメニュー、及びメニューに含まれる項目のうちユーザが選択した項目を登録するマイメニューを管理する管理手段としてコンピュータを機能させ、
前記管理手段は、メニューの項目のうち前記判別手段で判別したマウントの種別で必要のない項目を非表示又は無効表示にするとともに、マイメニューに登録されている項目の全て又は一部を登録解除する又は無効表示にする更新処理を行うことを特徴とするプログラム。
【発明の詳細な説明】
【技術分野】
【０００１】
本発明は、マウントの交換が可能な撮像装置、その制御方法及びプログラムに関する。
【背景技術】
【０００２】
交換レンズ式カメラとレンズの接続部であるマウントは、レンズの種類によって異なるインターフェースになっているため、カメラによってはレンズの種類に合わせて複数のモデルを提供している。そのため、レンズ交換式カメラを使用するときは、使用するレンズとの組み合わせを考えて機材選定することが重要になる。しかしながら、このような状況は、多くの機材を扱うレンタル業界では、費用的にも管理面でも不利である。そのような事情から、ユーザ自身の手によってマウントを交換できる仕組みを備えたカメラ望まれ、実際に商品化されている。
【０００３】
しかしながら、マウントの交換は、フランジバックの調整のように専門的な知識と工具を必要とする作業であり、ユーザが容易にできるものではなく、ほとんどのユーザにとっては関係のない仕様である。一方、マウントの種別が異なると、カメラと接続できるレンズの種類が変わるだけではなく、レンズとカメラの間の通信方式や、カメラ側の機能・性能に違いが出るため、カメラとしてはその差分をケアした仕様にしておく必要がある。このとき、マウントを交換することを前提にした仕様にしてしまうと、ほとんどのユーザにとって無意味な機能が、あたかも使用できる機能であるかのように見えてしまうという問題がある。そのことがユーザの混乱を招く原因になるおそれがあることから、通常は工場から出荷される時点のマウントの種別に合わせて機能割り当てが行われるようになっている。しかしながら、この場合でも、ユーザの手によってマウント交換される場合に備え、矛盾が生じないようにすることが必要になってくる。
【０００４】
同じような課題はレンズを交換したときにも生じることがあり、先行技術が開示されている。特許文献１は、レンズユニットの交換を検出すると全ての設定をリセットすることを特徴としたものである。また、特許文献２は、起動時にレンズユニットを検出すると、カメラを所定の状態で起動することを特徴としたものである。
【先行技術文献】
【特許文献】
【０００５】
【特許文献１】特開平４−２８０２３９号公報
【特許文献２】特開平４−２８０２３７号公報
【発明の概要】
【発明が解決しようとする課題】
【０００６】
しかしながら、ユーザが手軽に行えるレンズ交換とは異なり、ほとんどのユーザが行わないマウント交換では、ユーザの混乱を招かないように機能提供することが求められる。例えばマウント交換が可能なレンズ交換式カメラでは、マウントの種別が異なる場合は別製品であるかのように振る舞う仕組みが必要になる。
【０００７】
本発明は上記のような点に鑑みてなされたものであり、マウント交換後の撮像装置の機能に矛盾が生じないようにして、ユーザの混乱を招かないようにすることを目的とする。
【課題を解決するための手段】
【０００８】
本発明の撮像装置は、レンズとの接続部であるマウントの交換が可能な撮像装置であって、該撮像装置に装着されているマウントの種別を判別する判別手段と、複数の項目を含むメニュー、及びメニューに含まれる項目のうちユーザが選択した項目を登録するマイメニューを管理する管理手段とを備え、前記管理手段は、メニューの項目のうち前記判別手段で判別したマウントの種別で必要のない項目を非表示又は無効表示にするとともに、マイメニューに登録されている項目の全て又は一部を登録解除する又は無効表示にする更新処理を行うことを特徴とする。
【発明の効果】
【０００９】
本発明によれば、マウント交換に応じて、ユーザは手間をかけることなく、また、意識することなく、自動的にメニュー及びマイメニューの更新が実行される。これにより、マウント交換後の撮像装置の機能に矛盾が生じないようにして、ユーザの混乱を招かないようにすることができる。
【図面の簡単な説明】
【００１０】
【図１】第１の実施形態に係るレンズ交換式のデジタルビデオカメラの構成を示す図である。
【図２】マウントの種別を判別するための構成を示す図である。
【図３】メニューの構成例を示す図である。
【図４】メニュー画面の例を示す図である。
【図５】マイメニュー画面の遷移例を示す図である。
【図６】第１の実施形態に係るカメラが起動時にマウント交換の判定を行い、メニュー及びマイメニューを更新する処理の例を示すフローチャートである。
【図７】図６のカメラ制御メインルーチンの詳細を示すフローチャートである。
【図８Ａ】図６のその他制御の一例の詳細を示すフローチャートである。
【図８Ｂ】図６のその他制御の一例の詳細を示すフローチャートである。
【図９】第２の実施形態に係るカメラが起動時にマウント交換の判定を行い、メニュー及びマイメニューを更新する処理の例を示すフローチャートである。
【発明を実施するための形態】
【００１１】
以下、添付図面を参照して、本発明の好適な実施形態について説明する。
（第１の実施形態）
図１は、本実施形態に係る撮像装置であるレンズ交換式のデジタルビデオカメラ（以下、カメラと呼ぶ）の構成を示す図である。
カメラのカメラ本体１７には、マウント１３を介して交換式のレンズ１４が接続される。マウント１３はレンズ１４との接続部であり、レンズ１４とカメラ本体１７を接続するためのインターフェースである。レンズ１４とマウント１３は、同一の構造の場合にのみ接続が可能であり、異なる構造の場合には接続することができない。
【００１２】
カメラ本体１７において、撮像部１は、ＣＣＤやＣＭＯＳ等の撮像素子、オートフォーカス機構等から構成される。撮像部１は、カメラ制御部３からの指示に従って、被写界に対して焦点や光量等を調整し、レンズ１４を介して結像された被写界の光学像を映像信号に変換し、カメラ信号処理部２に送出する。
カメラ制御部３は、マイクロコンピュータ等から構成され、システム制御部４や操作部１０等からの指示に従ってカメラ系全体を制御する。
【００１３】
信号処理部５は、集積回路やマイクロコンピュータ等から構成され、システム制御部４からの指示に従って、記録媒体９への記録動作や記録した映像の再生動作を行う。信号処理部５は、記録系信号処理部６及び再生系信号処理部７を備える。記録系信号処理部６は、カメラ信号処理部２から出力された信号に対して、所定の信号処理を施して送出する。再生系信号処理部７は、再生された信号に所定の処理を施し、システム制御部４から送られる文字情報、印刷範囲枠表示情報を映像信号にミックスし、液晶パネル８に送出する。
液晶パネル８は、映像を映し出すとともに、文字や記号による本体の各種情報の表示、メニュー設定時のガイド表示等を行う。
【００１４】
操作部１０は、電源スイッチ、メニューキー、十字キー（上／下／左／右／ＳＥＴ）といった操作部材から構成される。メニューキーを押下すると、システム制御部４はその指示を受けて、信号処理部５に対してメニュー表示要求を行い、映像にメニュー画面が重畳されたものが液晶パネル８に表示される。例えば十字キーを使用してメニュー画面内でカーソル移動を行い、所望の項目の設定を変更すると、その内容はＳＲＡＭ１１に記憶される。ＳＲＡＭ１１にはバックアップ電源１２から電圧が供給されるため、カメラの電源がオフされたとしても、ここで設定したメニューの内容は保持され続ける。
【００１５】
マウント検出部１５は、マウント１３の種別を判別するための情報を検出する。
レンズ通信部１６は、シリアル通信を行うための電圧変換等を行い、このシリアル通信を通じてレンズ１４とカメラ本体１７は相互にデータのやり取りを行う。レンズ１４の制御やレンズ１４のステータス情報の取得は、レンズ通信部１６を介して行われる。このとき行われるシリアル通信は、マウント検出部１５の判定結果に基づいて決定されるものである。マウント１３の種別によっては、通信ができないと判定される場合もある。
【００１６】
図２は、本実施形態に係るカメラにおいてマウント１３の種別を判別するための構成を示す図である。図２（ａ）ではマウント１３とカメラ本体１７の接続信号線がショートし、（ｂ）ではオープンになっている。システム制御部４は、マウント検出部１５を通じて取得した信号がハイレベルであるか、ローレベルであるかによってマウント１３の種別を判別する。マウント検出部１５の検出結果に基づいて、システム制御部４はその後の動作を決定する。ここでは、ハイ／ローの２種類でマウント１３の種別を判別する方法を示したが、システム制御部４のＡ／Ｄ変換ポートで信号を監視するようなシステムであれば、電圧Ｖを抵抗分圧して、より多くのマウント１３の種別を判別することもできる。
【００１７】
図３は、本実施形態に係るカメラにおけるメニューの構成例を示す図である。操作部１０に含まれるメニューキーを押下すると、メニューが開かれて、液晶パネル８にメニュー画面が表示される。
メニュー３００は階層構造で管理されており、第一階層３０１には、「Ｃａｍｅｒａ Ｓｅｔｕｐ」、「Ａｕｄｉｏ Ｓｅｔｕｐ」、「Ｖｉｄｅｏ Ｓｅｔｕｐ」、「ＯｔｈｅｒＦｕｎｃｔｉｏｎ」、「Ｍｙ Ｍｅｎｕ」という項目がある。
第一階層３０１の下に第二階層があり、第二階層には、第一階層３０１の各項目の詳細項目、例えば「Ｃａｍｅｒａ Ｓｅｔｕｐ」の詳細項目３０２や「Ｍｙ Ｍｅｎｕ」の詳細項目３０３がある。
第二階層の下に第三階層があり、第三階層では、例えば設定項目３０４になる場合やＥｄｉｔ項目３０５になる場合がある。
【００１８】
メニュー３００は、液晶パネル８上では、図４（ａ）に示すようにメニュー画面４００として表示される。図４（ａ）は、「Ｃａｍｅｒａ Ｓｅｔｕｐ」の詳細項目３０２が表示された状態を示す。
メニュー画面４００の操作は、操作部１０に含まれる十字キー等を使って行う。十字キーを上方向に操作すると、カーソル４０１が上の項目に向かって移動する。また、十字キーを下方向に操作すると、カーソル４０１が下の項目に向かって移動する。また、十字キーを左方向に操作すると、上位の階層がある場合には上位の階層にカーソル４０１が移動する。また、十字キーを右方向に操作すると、下位の階層がある場合には下位の階層にカーソル４０１が移動し、下位の階層がない場合には設定項目３０４を開く。設定項目３０４では、カーソル４０１を移動して所望の項目上で十字キーのＳＥＴキーを押下すると、設定の確定がなされる。
【００１９】
メニュー画面４００には、基本的にはカメラで使用できる項目が表示されるが、何らかの制約によって一時的に使用できなかったり、一時的に設定を行っても動作が変化しなかったりする項目が存在する場合がある。例えばカメラにレンズ１４が装着されていない場合に、ＷＢ（ホワイトバランス）設定ができない仕様にしたいような場合がある。このような場合、その機能の設定ができるようにしてしまうと、実際のカメラの動作とメニューの項目が一致しない。そこで、ユーザに混乱を招かないようにするため、一時的に使用できないような項目をグレーアウトする仕組みが存在する。図４（ｂ）は、その表示形態の一例であり、グレーアウト表示の項目４０２は使用できない項目である。グレーアウト以外にも、使用できない項目そのものを非表示にするという方法もある。図４（ｃ）では、ＷＢ設定が非表示になっている。例えばグレーアウト表示は一時的に使用できないことを表わすのに有効であり、非表示はその機能が存在しないことを表わすのに有効である。その機能が存在しない場合というのは、例えばオプションで機能拡張しないと使えない機能であり、設計段階で予め準備だけしておくような場合が考えられる。
【００２０】
次に、図５を参照して、マイメニューについて説明する。図５は、マイメニュー画面の遷移例を示す図である。マイメニューとは、メニュー内にある項目の中からユーザが頻繁に使用する項目を選択、登録してまとめるための機能であり、カスタムメニューやお気に入り等の呼称がある。
図５（ａ）は、「Ｍｙ Ｍｅｎｕ」の詳細項目３０３が表示された状態を示す。図５（ａ）に示すように、マイメニューに何も登録していない状態では、Ｍｙ Ｍｅｎｕ画面５０１に「Ｒｅｔｕｒｎ」、「Ｅｄｉｔ」という項目がある。「Ｒｅｔｕｒｎ」は上位の階層に移動するための選択肢であり、この位置にカーソル４０１を移動して確定操作を行うと、第一階層に移動する。「Ｅｄｉｔ」は下位の階層に移動するための入口であり、この位置にカーソル４０１を移動して十字キーの右キー又は十字キーのＳＥＴキーを押下すると、下位の階層に移動する。
【００２１】
Ｍｙ Ｍｅｎｕ画面５０１において「Ｅｄｉｔ」を選択、確定すると、図５（ｂ）〜（ｅ）に示すように、Ｅｄｉt画面５０２が表示される。Ｅｄｉt画面５０２には、「Ｒｅｔｕｒｎ」、「Ｒｅｇｉｓｔｅｒ」、「Ｍｏｖｅ」、「Ｄｅｌｅｔｅ」、「Ｒｅｓｅｔ Ａｌｌ」という項目がある。「Ｒｅｔｕｒｎ」は、前述したものと同様に上位の階層に移動するための項目である。
【００２２】
図５（ｂ）に示すように、Ｅｄｉt画面５０２において「Ｒｅｇｉｓｔｅｒ」を選択、確定すると、どの項目をマイメニューに登録するかを指定するためのＲｅｇｉｓｔｅｒ対象選択画面５０３が表示される。Ｒｅｇｉｓｔｅｒ対象選択画面５０３は、通常のメニュー画面とほぼ同じ構成だが、マイメニューに登録できない項目は表示されない。マイメニューに登録したい項目を指定すると、確認画面５０４が表示される。確認画面５０４で「Ｃａｎｃｅｌ」を選択すると登録が実行されず、「Ｅｘｅｃ」を選択すると登録が実行される。例えばＲｅｇｉｓｔｅｒ対象選択画面５０３に表示された「Ｃｏｌｏｒ Ｂａｒ」が登録されると、Ｍｙ Ｍｅｎｕ実行後画面５０５では「Ｃｏｌｏｒ Ｂａｒ」が追加される。
【００２３】
図５（ｃ）に示すように、Ｅｄｉt画面５０２において「Ｍｏｖｅ」を選択、確定すると、マイメニューに登録された項目を並べ換えるためのＭｏｖｅ対象選択画面５０６が表示される。Ｍｏｖｅ対象選択画面５０６で、カーソル４０１を並び替えたい項目まで移動し、十字キーのＳＥＴキーを押すと、Ｍｏｖｅ対象移動画面５０７が表示される。Ｍｏｖｅ対象移動画面５０７では、先ほど選択した項目が十字キーの上下操作に合わせて移動し、ＳＥＴキーを押下すると移動先が決定する。例えばＭｏｖｅ対象移動画面５０７に表示された「ＡＢＢ」を「ＣＯＬＯＲ ＢＡＲ」の上に移動させると、Ｍｙ Ｍｅｎｕ実行後画面５０８では「ＡＢＢ」が「ＣＯＬＯＲ ＢＡＲ」の上に並び替えられる。
【００２４】
図５（ｄ）に示すように、Ｅｄｉt画面５０２において「Ｄｅｌｅｔｅ」を選択、確定すると、マイメニューに登録された項目を解除するためのＤｅｌｅｔｅ対象選択画面５０９が表示される。Ｄｅｌｅｔｅ対象選択画面５０９で、カーソル４０１を解除したい項目まで移動し、十字キーのＳＥＴキーを押すと、確認画面５１０が表示される。確認画面５１０で「Ｃａｎｃｅｌ」を選択すると解除は実行されず、「Ｅｘｅｃ」を選択すると解除が実行される。例えばＤｅｌｅｔｅ対象選択画面５０９に表示された「ＡＢＢ」が解除されると、Ｍｙ Ｍｅｎｕ実行後画面５１１では解除された「ＡＢＢ」以外の項目が残った状態となる。
【００２５】
図５（ｅ）に示すように、Ｅｄｉt画面５０２において「Ｒｅｓｅｔ Ａｌｌ」を選択、確定すると、マイメニューに登録された項目を一括で解除するための確認画面５１２が表示される。確認画面５１２で「Ｃａｎｃｅｌ」を選択すると一括解除は実行されず、「Ｅｘｅｃ」を選択すると一括解除が実行される。一括解除が実行されると、Ｍｙ Ｍｅｎｕ実行後画面５１３では何も登録されていない状態になる。
【００２６】
図６は、本実施形態に係るカメラが起動時にマウント交換の判定を行い、メニュー及びマイメニューを更新する処理の例を示すフローチャートである。
カメラの電源がオフになっているとき、ステップＳ６０１で、システム制御部４は、電源スイッチの状態を取得して監視する。
ステップＳ６０２で、システム制御部４は、電源スイッチがオンになったか否かを確認する。電源スイッチがオフのままであれば、ステップＳ６０１に戻り、電源スイッチがオンであれば、ステップＳ６０３に進む。
ステップＳ６０３で、システム制御部４は、図２で説明したように、マウント検出部１５を通じてマウントの種別を判別、取得する。
ステップＳ６０４で、システム制御部４は、現在のマウントが、前回カメラを起動したときのマウントと同じ種別であるか否かを確認する。前回のマウントの種別情報はＳＲＡＭ１１に記憶されており、ステップＳ６０３において判別したマウントの種別とＳＲＡＭ１１に記憶されているマウントの種別情報とを比較することにより、マウント交換を判定することができる。ＳＲＡＭ１１に記憶されているマウントの種別情報は、カメラが工場から出荷されたときの初期値か、後述するステップＳ６１２のバックアップ処理で更新された値となる。ステップＳ６０４において同じ種別であると判定された場合、ステップＳ６１４に進む。一方、ステップＳ６０４において同じ種別でない、すなわちマウント交換があったと判定された場合、ステップＳ６０５に進む。
【００２７】
ステップＳ６０５〜Ｓ６１１は、メニュー及びマイメニューの更新処理ルーチンである。
ステップＳ６０５はループ始点であり、メニューがｎ＝１〜Ｎの項目から構成されているとする。
メニューにある項目の一つ一つに対してマウント交換の影響を調べるため、ステップＳ６０６で、項目［ｎ］の表示形態を取得する。ここで取得される結果には、「表示」、「無効表示」、「非表示」等がある。「表示」は、設定変更が可能な項目であることを示すものであり、通常はほとんどの項目が「表示」と判定される。「無効表示」は、そのタイミングでは設定変更ができないものの、条件さえ整えば設定変更できる項目である。このときは、図４（ｂ）に示すようにグレーアウト表示される。「非表示」は、カメラでは表示しない項目である。これは、カメラの製品としては異なる種類のものを、同一のファームウェアを使って設計するような場合に用いられる手法であり、全くの別のカメラとしての動作をもたらす効果がある。本実施形態では、ユーザがカメラのマウントを交換することを想定して説明をしているが、実際のマウント交換は高度な技術、知識、ツールを必要とするものであるため、ほとんどのユーザにとっては無関係がない。このような場合、そのほとんどのユーザにとって無関係なメニュー（マウントの種別によって必要のない項目）を表示することは混乱を招く原因となるため、非表示にすることでそれを回避することができる。
ステップＳ６０７で、項目［ｎ］が非表示対象であるか否かを判定する。項目［ｎ］が非表示対象でないと判定された場合、次の項目［ｎ＋１］についてステップＳ６０５からの判定を繰り返す。項目［ｎ］が非表示対象であると判定された場合、ステップＳ６０８に進み、メニューにおいて項目［ｎ］を非表示化して、メニュー画面上で表示されないようにする。
次に、ステップＳ６０９で、項目［ｎ］がマイメニューに登録されているか否かを判定する。マイメニューに登録されていない場合、次の項目［ｎ＋１］についてステップＳ６０５からの判定を繰り返す。マイメニューに登録されている場合、ステップＳ６１０に進み、マイメニューから項目［ｎ］を登録解除する。
項目［１］〜項目［Ｎ］まで判定を繰り返してステップＳ６１１のループ終端に到達すると、この時点でカメラのメニュー構成が確定する。
【００２８】
ステップＳ６１２で、システム制御部４は、ステップＳ６０３において取得したマウントの種別情報をＳＲＡＭ１１に保存する。このとき、事前に保存されているマウントの種別情報に対して上書き保存する。ＳＲＡＭ１１にはバックアップ電源１２から電圧が供給されるため、カメラの電源がオフされたとしても、マウントの種別情報は保持され続ける。
ステップＳ６１３で、メニュー設定の全初期化を行い、項目［１］〜［Ｎ］を初期値に戻す。これは、メニューの「表示」、「非表示」を切り換えることによって生じる設定上の矛盾を回避するための処理であるが、初期化する対象を一部に限定して初期化を行っても良い。ここまでの処理によって、カメラは新しいマウント１３に適した設定で動作できる状態になる。
【００２９】
ステップＳ６１４は、カメラ制御メインルーチンであり、カメラとしての動作を開始する。カメラ制御メインルーチンの詳細は後述する。
ステップＳ６１５で、システム制御部４は、電源スイッチの状態を取得して監視する。
ステップＳ６１６で、システム制御部４は、電源スイッチがオンのままであるか否かを確認する。電源スイッチがオンのままであれば、ステップＳ６１４に戻り、電源スイッチがオフであれば、本処理を抜ける。
【００３０】
図７は、ステップＳ６１４のカメラ制御メインルーチンの詳細を示すフローチャートである。
ステップＳ７０１〜Ｓ７０６は、無効判定処理ルーチンである。
ステップＳ７０１はループ始点であり、表示中メニューにｋ＝１〜Ｋの項目があるとする。
表示中メニューにある項目の一つ一つに対して無効判定を行うため、ステップＳ７０２で、項目［ｋ］の表示形態を取得する。
ステップＳ７０３で、項目［ｋ］が無効表示の対象であるか否かを判定する。ここではマウントの種別の取得を実施しないため、「表示」、「無効表示」の判定だけを行う。項目［ｋ］が無効表示の対象でないと判定された場合、ステップＳ７０４に進み、項目［ｋ］を通常表示する。項目［ｋ］が無効表示の対象であると判定された場合、ステップＳ７０５に進み、項目［ｋ］をグレーアウト表示する。
項目［１］〜項目［Ｋ］まで判定を繰り返してステップＳ７０６のループ終端に到達すると、ステップＳ７０７に進み、その他制御を実行する。その他制御とは、例えばレンズ制御、センサー制御、レコーダー制御、ＵＩ制御等の、メニュー以外のカメラとしてのメインの処理である。
【００３１】
以上が、本実施形態に係るカメラが起動時にマウント交換の判定を行い、メニュー及びマイメニューを更新する処理の詳細である。
ここで、カメラの起動時（電源オン時）に限定してマウント交換の判定を行っているのは、第一には、カメラの電源オン状態でマウント交換することは、電気的にショートするおそれがあって推奨できないことが挙げられる。第二には、電気的にショートするおそれを背負ってまでマウント交換しなければならない理由がある状況下で、メニューの設定を矛盾のない状態にすることが困難な場合がある点が挙げられる。
【００３２】
このうち、第二の点についてはシステムに依存するものであるため、図８Ａや図８Ｂに示すような処理を実行することができれば実現可能ではある。
図８Ａは、ステップＳ７０７のその他制御の一例の詳細を示すフローチャートである。
ステップＳ８０１で、システム制御部４は、図２で説明したように、マウント検出部１５を通じてマウントの種別を判別、取得する。
ステップＳ８０２で、システム制御部４は、現在のマウントが、ＳＲＡＭ１１に記憶されているマウントと同じ種別であるか否かを確認する。ステップＳ８０２において同じ種別であると判定された場合、本処理を抜ける。一方、ステップＳ８０２において同じ種別でない、すなわちマウント交換があったと判定された場合、ステップＳ８０３に進み、カメラを再起動する。ステップＳ８０３のカメラ再起動処理は、カメラをオフするための一連の終了処理であり、再起動の準備が整うと、図６のステップＳ６０３に進む。
【００３３】
しかしながら、あえて電源オン状態でマウント交換を行うリスクがある中で作業していることを考えると、カメラの再起動を伴う図８Ａの処理は、ユーザの望まない動作であるとも考えられる。
そこで、図８Ｂでは、カメラの再起動を伴わないようにしている。図８Ｂは、ステップＳ７０７のその他制御の一例の詳細を示すフローチャートであり、図６、図８Ａと同じ処理には同一の符号を付し、その説明は省略する。
図８Ｂのフローチャートでは、ステップＳ８０１のＯＮ時マウント種別取得、ステップＳ８０２のマウント交換の判定は図８Ａと同様である。ステップＳ８０２において同じ種別でない、すなわちマウント交換があったと判定された場合、図６と同様、ステップＳ６０５〜Ｓ６１１の更新処理ルーチン〜ステップＳ６１３のメニュー設定の全初期化までの処理を実行する。これによって、起動時にこれらの処理を行うのと同じ効果を得ることができる。
【００３４】
ただし、一連の初期化処理の中には処理時間のかかるものが含まれる場合があるので、カメラの運用を保持したままこれらの処理を実行できるかどうかはシステムに依存する。このように、図８Ａや図８Ｂに示すような制御を行うことに問題がないようであれば、マウント交換の判定はカメラ起動時に限定する必要はない。
【００３５】
（第２の実施形態）
次に、第２の実施形態を説明する。第１の実施形態では、マウントの種別に基づいてマウント交換を判定する例を説明したが、第２の実施形態では、他の情報を判定基準に用いて同様の処理を行う例を説明する。なお、カメラの構成や基本的な動作は第１の実施形態と同様であり、以下では、第１の実施形態との相違点を中心に説明する。
図９は、本実施形態に係るカメラが起動時にマウント交換の判定を行い、メニュー及びマイメニューを更新する処理の例を示すフローチャートであり、図６と同じ処理には同一の符号を付し、その説明は省略する。
ステップＳ６０３のマウント種別取得の後、マウントの種別に合わせた形式の通信をレンズ１４との間で行う必要があるので、ステップＳ９０１で、レンズ通信方式を決定する。
【００３６】
ステップＳ９０２で、システム制御部４は、現在のレンズ通信方式が、前回カメラを起動したときのレンズ通信方式と同じであるか否かを確認する。ステップＳ９０２において同じレンズ通信方式であると判定された場合、ステップＳ６１４に進む。一方、ステップＳ９０２において同じレンズ通信方式でない、すなわちマウント交換があったと判定された場合、ステップＳ６０５に進む。
ステップＳ６０５〜Ｓ６１１の更新処理ルーチンの後、ステップＳ９０３で、システム制御部４は、レンズ通信方式情報をＳＲＡＭ１１に保存し、以降の起動時の判定にこのレンズ通信方式情報を使用する。
以上のように、レンズ通信方式を基準にして制御を行っても、同様の処理を実現することが可能である。
【００３７】
以上述べた実施形態では、ステップＳ６１３のメニュー設定の全初期化のように、メニューの全項目を初期化する例のシーケンスを示したが、必ずしも全項目が対象である必要はない。例えばマウントと関係のある項目だけを初期化することでも実現可能である。また、メニューの設定をマウント毎に別々のＳＲＡＭ１１に保持する仕組みになっていても実現は可能である。
また、マウントでは使用できないメニューの項目を非表示にした上で、マイメニューの登録解除を行うことを前提に話を進めてきたが、該当する項目を全て無効表示（グレーアウト表示）することでも実現可能である。
また、ステップＳ６０４のマウント判定におけるマウント交換をきっかけにして、メニュー及びマイメニューの更新を行うことを前提に話を進めてきたが、このタイミングはこの限りではない。例えばステップＳ６０７〜Ｓ６１０の処理は起動時に必ず行い、ステップＳ６１２のマウント種別バックアップ、及びステップＳ６１３のメニュー設定の全初期化だけをマウントの交換検出時に行っても良い。また、ステップＳ６１３のメニュー設定の全初期化だけをマウント検出時のみ実施しても同様の効果が得られる。
【００３８】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３９】
１：撮像部、２：カメラ信号処理部、３：カメラ制御部、４：システム制御部、５：信号処理部、６：記録系信号処理部、７：再生系信号処理部、８：液晶パネル、９：記録媒体、１０：操作部、１１：ＳＲＡＭ、１２：バックアップ電源、１３：マウント、１４：レンズ、１５：マウント検出部、１６：レンズ通信部、１７：カメラ本体
【図１】
2020080555.tif 000003
【図２】
2020080555.tif 000004
【図３】
2020080555.tif 000005
【図４】
2020080555.tif 000006
【図５】
2020080555.tif 000007
【図６】
2020080555.tif 000008
【図７】
2020080555.tif 000009
【図８Ａ】
2020080555.tif 000010
【図８Ｂ】
2020080555.tif 000011
【図９】
2020080555.tif 000012
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
レンズとの接続部である第１のマウントと第２のマウントとの交換が可能な撮像装置であって、
メニューの表示を管理する管理手段を備え、
前記管理手段は、前記第１のマウントが装着されている場合と前記第２のマウントが装着されている場合とで、異なるメニューを表示が行われるようメニュー表示を管理することを特徴とする撮像装置。
【請求項２】
該撮像装置に装着されているマウントの種別を判別する判別手段を備え、
前記管理手段は、前記判別手段で判別したマウントの種別に応じた項目を前記メニューに表示し、ユーザが選択不能な項目は選択不能な状態であることを示すように前記メニューを表示することを特徴とする請求項１に記載の撮像装置。
【請求項３】
前記管理手段は、ユーザが選択した項目を登録するマイメニューの表示を管理し、
前記判別手段で判別したマウントの種別に応じて、前記マイメニューの表示が異なることを特徴とする請求項２に記載の撮像装置。
【請求項４】
マウントの種別に対する前記マイメニューが設定された後、前記判別手段で他のマウントの種別を判別した場合、前記管理手段は、前記マイメニューの項目の設定を解除することを特徴とする請求項３に記載の撮像装置。
【請求項５】
前記判別手段は、該撮像装置の電源がオンになったときに、マウントの種別を判別することを特徴とする請求項２に記載の撮像装置。
【請求項６】
前記判別手段がマウントの種別を判別した結果、前回に判別したマウントの種別と異なる場合、該撮像装置を再起動することを特徴とする請求項５に記載の撮像装置。
【請求項７】
前記判別手段がマウントの種別を判別した結果、前回に該撮像装置の電源オンになったときに判別したマウントの種別と異なる場合、前記管理手段は、前記判別手段で判別したマウントの種別に応じていない項目を表示しないことを特徴とする請求項５に記載の撮像装置。
【請求項８】
前記判別手段で判別したマウントの種別を記憶する記憶手段を備え、
前記判別手段で判別したマウントの種別と前記記憶手段に記憶されているマウントの種別とを比較することを特徴とする請求項２に記載の撮像装置。
【請求項９】
前記判別手段で判別したマウントの種別に基づいてレンズとの通信方式を決定する決定手段と、
前記決定手段で決定した通信方式情報を記憶する記憶手段とを備え、
前記決定手段で決定した通信方式情報を前記記憶手段に記憶する前に、前記決定手段で決定した通信方式と前記記憶手段に記憶されている通信方式情報とを比較することにより、マウント交換を判定することを特徴とする請求項２に記載の撮像装置。
【請求項１０】
前記判別手段で判別したマウントの種別と前記記憶手段に記憶されているマウントの種別とが異なる場合、前記記憶手段に記憶されているマウントの種別が前記判別手段で判別したマウントの種別に更新されることを特徴とする請求項８に記載の撮像装置。
【請求項１１】
前記管理手段は、前記判別手段で判別したマウントの種別がサポートしていない機能が関連付けられた項目を取り消すように前記マイメニューを管理することを特徴とする請求項３に記載の撮像装置。
【請求項１２】
レンズとの接続部である第１のマウントと第２のマウントとの交換が可能な撮像装置の制御方法であって、
前記第１のマウントが装着されている場合と前記第２のマウントが装着されている場合とで、異なるメニューを表示が行われるようメニュー表示を管理するステップを有することを特徴とする撮像装置の制御方法。
【請求項１３】
該撮像装置に装着されているマウントの種別を判別するステップを有し、
前記管理するステップでは、前記判別するステップで判別したマウントの種別に応じた項目を前記メニューに表示し、ユーザが選択不能な項目は選択不能な状態であることを示すように前記メニューを表示することを特徴とする請求項１２に記載の撮像装置の制御方法。
【請求項１４】
ユーザが選択した項目を登録するマイメニューが表示可能であり、
前記判別したマウントの種別に応じて、前記マイメニューの表示が異なることを特徴とする請求項１３に記載の撮像装置の制御方法。
【請求項１５】
レンズとの接続部である第１のマウントと第２のマウントとの交換が可能な撮像装置を制御するためのプログラムであって、
メニューの表示を管理する管理手段としてコンピュータを機能させ、
前記管理手段は、前記第１のマウントが装着されている場合と前記第２のマウントが装着されている場合とで、異なるメニューを表示が行われるようメニュー表示を管理することを特徴とするプログラム。
【請求項１６】
該撮像装置に装着されているマウントの種別を判別する判別手段としてコンピュータを機能させ、
前記管理手段は、前記判別手段で判別したマウントの種別に応じた項目を前記メニューに表示し、ユーザが選択不能な項目は選択不能な状態であることを示すように前記メニューを表示することを特徴とする請求項１５に記載のプログラム。
【請求項１７】
前記管理手段は、ユーザが選択した項目を登録するマイメニューの表示を管理し、
前記判別手段で判別したマウントの種別に応じて、前記マイメニューの表示が異なることを特徴とする請求項１６に記載のプログラム。
【手続補正２】
【補正対象書類名】明細書
【補正対象項目名】０００８
【補正方法】変更
【補正の内容】
【０００８】
本発明の撮像装置は、レンズとの接続部である第１のマウントと第２のマウントとの交換が可能な撮像装置であって、メニューの表示を管理する管理手段を備え、前記管理手段は、前記第１のマウントが装着されている場合と前記第２のマウントが装着されている場合とで、異なるメニューを表示が行われるようメニュー表示を管理することを特徴とする。
【手続補正３】
【補正対象書類名】明細書
【補正対象項目名】０００９
【補正方法】変更
【補正の内容】
【０００９】
本発明によれば、マウント交換後の撮像装置の機能に矛盾が生じないようにして、ユーザの混乱を招かないようにすることができる。
【手続補正４】
【補正対象書類名】明細書
【補正対象項目名】００１０
【補正方法】変更
【補正の内容】
【００１０】
【図１】第１の実施形態に係るレンズ交換式のデジタルビデオカメラの構成を示す図ある。
【図２】マウントの種別を判別するための構成を示す図である。
【図３】メニューの構成例を示す図である。
【図４】メニュー画面の例を示す図である。
【図５】マイメニュー画面の遷移例を示す図である。
【図６】第１の実施形態に係るカメラが起動時にマウント交換の判定を行い、メニュー及びマイメニューを更新する処理の例を示すフローチャートである。
【図７】図６のカメラ制御メインルーチンの詳細を示すフローチャートである。
【図８Ａ】図７のその他制御の一例の詳細を示すフローチャートである。
【図８Ｂ】図７のその他制御の一例の詳細を示すフローチャートである。
【図９】第２の実施形態に係るカメラが起動時にマウント交換の判定を行い、メニュー及びマイメニューを更新する処理の例を示すフローチャートである。
【手続補正５】
【補正対象書類名】明細書
【補正対象項目名】００２７
【補正方法】変更
【補正の内容】
【００２７】
ステップＳ６０５〜Ｓ６１１は、メニュー及びマイメニューの更新処理ルーチンである。
ステップＳ６０５はループ始点であり、メニューがｎ＝１〜Ｎの項目から構成されているとする。
メニューにある項目の一つ一つに対してマウント交換の影響を調べるため、ステップＳ６０６で、項目［ｎ］の表示形態を取得する。ここで取得される結果には、「表示」、「無効表示」、「非表示」等がある。「表示」は、設定変更が可能な項目であることを示すものであり、通常はほとんどの項目が「表示」と判定される。「無効表示」は、そのタイミングでは設定変更ができないものの、条件さえ整えば設定変更できる項目である。このときは、図４（ｂ）に示すようにグレーアウト表示される。「非表示」は、カメラでは表示しない項目である。これは、カメラの製品としては異なる種類のものを、同一のファームウェアを使って設計するような場合に用いられる手法であり、全くの別のカメラとしての動作をもたらす効果がある。本実施形態では、ユーザがカメラのマウントを交換することを想定して説明をしているが、実際のマウント交換は高度な技術、知識、ツールを必要とするものであるため、ほとんどのユーザにとっては関係がない。このような場合、そのほとんどのユーザにとって無関係なメニュー（マウントの種別によって必要のない項目）を表示することは混乱を招く原因となるため、非表示にすることでそれを回避することができる。
ステップＳ６０７で、項目［ｎ］が非表示対象であるか否かを判定する。項目［ｎ］が非表示対象でないと判定された場合、次の項目［ｎ＋１］についてステップＳ６０５からの判定を繰り返す。項目［ｎ］が非表示対象であると判定された場合、ステップＳ６０８に進み、メニューにおいて項目［ｎ］を非表示化して、メニュー画面上で表示されないようにする。
次に、ステップＳ６０９で、項目［ｎ］がマイメニューに登録されているか否かを判定する。マイメニューに登録されていない場合、次の項目［ｎ＋１］についてステップＳ６０５からの判定を繰り返す。マイメニューに登録されている場合、ステップＳ６１０に進み、マイメニューから項目［ｎ］を登録解除する。
項目［１］〜項目［Ｎ］まで判定を繰り返してステップＳ６１１のループ終端に到達すると、この時点でカメラのメニュー構成が確定する。